(57)【特許請求の範囲】
【請求項１】
パソコン本体と、テレビ受像機と、操作卓と、ＡＶ機器と、ＰＣトランシーバと、前記ＰＣトランシーバを介して前記パソコン本体に接続されたキーボード、マウス等のパソコン側操作部と、前記操作卓に接続されたキーボード、マウス等の操作卓側操作部とを有する情報伝送システムであって、
前記ＰＣトランシーバは、入力画像音声信号を前記テレビ受像機へ無線で送信する第１の無線部と、前記操作卓からの指示信号を無線で受信する第２の無線部と、前記操作卓からのモード指示信号の内容に応じて前記パソコン本体からのパソコン画像音声信号または前記ＡＶ機器からのＮＴＳＣ画像音声信号を前記第１の無線部に入力させる第１のスイッチと、前記操作卓からのモード指示信号の内容に応じて前記パソコン側操作部からの指示信号または前記操作卓側操作部からの指示信号を前記パソコン本体に入力させる第２のスイッチとを備え、前記第１のスイッチは、前記操作卓からのモード指示信号がノーマルモードであるときは前記パソコン画像音声信号を前記第１の無線部に入力させ、前記操作卓からのモード指示信号がシアタモードであるときは前記ＮＴＳＣ画像音声信号を前記第１の無線部に入力させ、前記第２のスイッチは、前記操作卓からのモード指示信号がノーマルモードであるときは前記操作卓側操作部からの指示信号を前記パソコン本体に入力させ、前記操作卓からのモード指示信号がシアタモードであるときは前記パソコン側操作部からの指示信号を前記パソコン本体に入力させることを特徴とする情報伝送システム。
【発明の詳細な説明】
【０００１】
【発明の属する技術分野】
本発明は、パソコンを操作卓から遠隔制御したり、パソコン出力のパソコン画像音声やＮＴＳＣ画像音声をパソコンと離れたテレビ受像機で視聴する情報伝送システムに関するものである。
【０００２】
【従来の技術】
近年、インターネットの普及により、家族みんなでインターネットを楽しむために、リビングのテレビ受像機からインターネットにアクセスする家庭が増えている。そのために、テレビ受像機に直接接続できるインターネット専用端末も市販されているが、このインターネット専用端末は価格が高く、またパソコン（ＰＣ）のように端末の性能をグレードアップすることはできない。そこで、市販のＰＣに接続し、無線でＰＣ出力の画像をリビングのテレビ受像機に送信して、家族みんなでインターネットにアクセスしたり、ＰＣ用ゲームをしたり、ＤＶＤプレーヤ出力画像をテレビ受像機で見たりするための情報伝送システムが市販されている。
【０００３】
しかし、パソコンを使用する場合は従来、パソコン本体やモニタと向き合いながら、パソコン本体に接続されたキーボード、マウス等の操作部を操作していた。ここで、パソコン本体から出力されるパソコン画像音声信号を選択するモードをノーマルモードと言い、ＤＶＤプレーヤ等のＡＶ機器から出力されるＮＴＳＣ画像音声信号を選択するモードをシアタモードと言う。
【０００４】
【発明が解決しようとする課題】
このように、上記従来の情報伝送システムでは、パソコンを操作する場合には、パソコン本体やモニタと向き合いながら、パソコン本体と対応するキーボード、マウス等を操作しなければならず、複数の操作部を使ってパソコン本体を共通して使用したり、パソコンの配置場所とは異なる別の場所から操作して、例えばノーマルモードとシアタモードを切り替えることができないという問題点を有していた。
【０００５】
この情報伝送システムでは、パソコン本体やＡＶ機器から出力される画像音声信号をパソコン本体やＡＶ機器の配置場所とは異なる別の場所で視聴することができると共に、パソコンの配置場所とは異なる別の場所からパソコンを操作することができることが要求されている。
【０００６】
本発明は、この要求を満たすため、パソコン本体やＡＶ機器から出力される画像音声信号をパソコンの配置場所とは異なる別の場所で視聴することができると共に、パソコンの配置場所とは異なる別の場所からパソコンを操作することができる情報伝送システムを提供することを目的とする。
【０００７】
【課題を解決するための手段】
上記課題を解決するために本発明の情報伝送システムは、パソコン本体と、テレビ受像機と、操作卓と、ＡＶ機器と、ＰＣトランシーバと、ＰＣトランシーバを介してパソコン本体に接続されたキーボード、マウス等のパソコン側操作部と、操作卓に接続されたキーボード、マウス等の操作卓側操作部とを有する情報伝送システムであって、ＰＣトランシーバは、入力画像音声信号をテレビ受像機へ無線で送信する第１の無線部と、操作卓からの指示信号を無線で受信する第２の無線部と、操作卓からのモード指示信号の内容に応じてパソコン本体からのパソコン画像音声信号またはＡＶ機器からのＮＴＳＣ画像音声信号を第１の無線部に入力させる第１のスイッチと、操作卓からのモード指示信号の内容に応じてパソコン側操作部からの指示信号または操作卓側操作部からの指示信号をパソコン本体に入力させる第２のスイッチとを備え、第１のスイッチは、操作卓からのモード指示信号がノーマルモードであるときはパソコン画像音声信号を第１の無線部に入力させ、操作卓からのモード指示信号がシアタモードであるときはＮＴＳＣ画像音声信号を第１の無線部に入力させ、第２のスイッチは、操作卓からのモード指示信号がノーマルモードであるときは操作卓側操作部からの指示信号をパソコン本体に入力させ、操作卓からのモード指示信号がシアタモードであるときはパソコン側操作部からの指示信号をパソコン本体に入力させることを特徴とする。
【０００８】
これにより、パソコン本体やＡＶ機器から出力される画像音声信号をパソコンの配置場所とは異なる別の場所で視聴することができると共に、パソコンの配置場所とは異なる別の場所からパソコンを操作することができる情報伝送システムが得られる。
【０００９】
【発明の実施の形態】
本発明の請求項１に記載の情報伝送システムは、パソコン本体と、テレビ受像機と、操作卓と、ＡＶ機器と、ＰＣトランシーバと、ＰＣトランシーバを介してパソコン本体に接続されたキーボード、マウス等のパソコン側操作部と、操作卓に接続されたキーボード、マウス等の操作卓側操作部とを有する情報伝送システムであって、ＰＣトランシーバは、入力画像音声信号をテレビ受像機へ無線で送信する第１の無線部と、操作卓からの指示信号を無線で受信する第２の無線部と、操作卓からのモード指示信号の内容に応じてパソコン本体からのパソコン画像音声信号またはＡＶ機器からのＮＴＳＣ画像音声信号を第１の無線部に入力させる第１のスイッチと、操作卓からのモード指示信号の内容に応じてパソコン側操作部からの指示信号または操作卓側操作部からの指示信号をパソコン本体に入力させる第２のスイッチとを備え、第１のスイッチは、操作卓からのモード指示信号がノーマルモードであるときはパソコン画像音声信号を第１の無線部に入力させ、操作卓からのモード指示信号がシアタモードであるときはＮＴＳＣ画像音声信号を第１の無線部に入力させ、第２のスイッチは、操作卓からのモード指示信号がノーマルモードであるときは操作卓側操作部からの指示信号をパソコン本体に入力させ、操作卓からのモード指示信号がシアタモードであるときはパソコン側操作部からの指示信号をパソコン本体に入力させることを特徴とするものである。
【００１０】
この構成により、操作卓からのモード指示信号に応じてパソコン本体からのパソコン画像音声信号とＡＶ機器からのＮＴＳＣ画像音声信号とのいずれかが選択されて無線で送信され、また、操作卓からのモード指示信号に応じてパソコン側操作部からの指示信号と操作卓側操作部からの指示信号とのいずれかが選択されるという作用を有する。
【００１２】
また、ノーマルモード時には、パソコン画像音声信号と操作卓側操作部からの指示信号とが選択され、シアタモード時には、ＮＴＳＣ画像音声信号とパソコン側操作部からの指示信号とが選択されるという作用を有する。
【００１３】
以下、本発明の実施の形態について、図１〜図４を用いて説明する。
【００１４】
（実施の形態１）
図１は本発明の実施の形態１による情報伝送システム全体を示す全体構成図、図２、図３は図１の情報伝送システムを構成するパソコン本体及びＰＣトランシーバ側装置を示す構成図であり、図２はノーマルモード時のパソコン本体及びＰＣトランシーバ側装置を示し、図３はシアタモード時のパソコン本体及びＰＣトランシーバ側装置を示す。
【００１５】
図１において、１はパソコン本体（ＰＣ本体）、２はパソコン用のモニタ、３はパソコン側操作部を構成するキーボード、４はパソコン側操作部を構成するマウス、５はパソコン本体１からのパソコン画像音声信号ａまたは後述のＡＶ機器６からのＮＴＳＣ画像音声信号ｂを送信するＰＣトランシーバ、５ａは画像音声信号を送信する送信アンテナ、５ｂは後述のコントロールコンソール９からの送信電波を受信する受信アンテナ、６はＡＶ機器としてのＤＶＤプレーヤ、７はテレビ受像機、８はＰＣトランシーバ５からの画像音声信号を受信処理するＡＶレシーバ、８ａはＰＣトランシーバ５からの画像音声信号を受信する受信アンテナ、９はキーボード１０、マウス１１から成る操作卓側操作部のデータ（指示信号）ｃを送信する操作卓としてのコントロールコンソール、１２はモード指示信号ｄを出力するモード切替えボタンである。ここで、構成要素１〜６はパソコン本体及びＰＣトランシーバ側装置を構成する。構成要素１〜４は既存のパソコン及び周辺機器である。図１に示すように、パソコン本体１、モニタ２、キーボード３、マウス４、ＤＶＤプレーヤ６はケーブルにてＰＣトランシーバ５に接続されている。また、ＡＶレシーバ８の出力はケーブルにてテレビ受像機７の外部入力に接続されている。さらに、モード切替えボタン１２は、遠隔操作を行うためのものであり、テレビ受像機７を見ながら操作部１０、１１からパソコンを操作するときはオフ状態であり、ＤＶＤプレーヤ６の画像音声を視聴するときはオン状態である。
【００１６】
また、図２、図３において、パソコン本体１、キーボード３、マウス４、ＰＣトランシーバ５、送信アンテナ５ａ、受信アンテナ５ｂ、ＤＶＤプレーヤ６は図１と同様のものなので、同一符号を付し、説明は省略する。５１はＰＣ本体１とキーボード、マウスとのデータを双方向通信するためのマイコン、５２は第１の無線部、５３は第２の無線部、Ｓ１は第１のスイッチ、Ｓ２は第２のスイッチである。第１、第２のスイッチＳ１、Ｓ２は、マイコン５１から出力されるモード指示信号ｄに基づいて切り替わる。なお、指示信号ｃはモード指示信号ｄをも含む信号である。
【００１７】
このような構成の情報伝送システムについて、その動作を説明する。
【００１８】
まずノーマルモード時の動作を図１、図２を用いて説明する。
【００１９】
コントロールコンソール９からのモード指示信号ｄの内容がノーマルモードを示しているとき（すなわちモード切替えボタン１２がオフのとき）は、図２に示すように、モード指示信号ｄを入力した第１のスイッチＳ１は、ＰＣ本体１と第１の無線部５２とを接続し、モード指示信号ｄを入力した第２のスイッチＳ２は、マイコン５１を介してＰＣ本体１と第１の無線部５２とを接続する。これにより、パソコン本体１からのパソコン画像音声信号ａは第１の無線部５２を介して送信アンテナ５ａから無線で送信され、受信アンテナ８ａで受信され、パソコン画像音声信号ａがテレビ受像機７で視聴される。また、コントロールコンソール９に接続された操作卓側操作部のキーボード１０やマウス１１を操作することによりコントロールコンソール９の送信アンテナ９ａから無線で送信される指示信号ｃは第２の無線部５３で受信され、この第２の無線部５３から出力される指示信号ｃは第２のスイッチＳ２、マイコン５１を介してパソコン本体１に入力され、パソコン本体１がコントロールコンソール９により遠隔操作されることになる。
【００２０】
次に、シアタモード時の動作を図１、図３を用いて説明する。
【００２１】
コントロールコンソール９からのモード指示信号ｄの内容がシアタモードを示しているとき（すなわちモード切替えスイッチ１２がオンのとき）は、図３に示すように、モード指示信号ｄを入力した第１のスイッチＳ１は、ＤＶＤプレーヤ６と第１の無線部５２とを接続し、モード指示信号ｄを入力した第２のスイッチＳ２は、マイコン５１を介してＰＣ本体１とキーボード３、マウス４とを接続する。これにより、ＤＶＤプレーヤ６からのＮＴＳＣ画像音声信号ｂは第１の無線部５２を介して送信アンテナ５ａから無線で送信され、受信アンテナ８ａで受信され、ＮＴＳＣ画像音声信号ｂがテレビ受像機７で視聴される。また、コントロールコンソール９に接続されたモード切替えボタン１２をオンとすることにより、コントロールコンソール９の送信アンテナ９ａから無線で送信されるシアタモードを示すモード指示信号ｄは第２の無線部５３で受信され、この第２の無線部５３から出力されるモード指示信号ｄは、第２のスイッチＳ２を第２の無線部５３側からキーボード３、マウス４側に切り換える。これにより、パソコン側操作部を構成するキーボード３、マウス４は第２のスイッチＳ２、マイコン５１を介してパソコン本体１に接続され、パソコン側操作部３、４からの指示信号ｃがパソコン本体１に入力されるようになる。
【００２２】
以上のように本実施の形態によれば、ＰＣトランシーバ５は、入力画像音声信号をテレビ受像機７へ無線で送信する第１の無線部５２と、操作卓９からの指示信号ｃを無線で受信する第２の無線部５３と、操作卓９からのモード指示信号ｄの内容に応じてパソコン本体１からのパソコン画像音声信号ａまたはＡＶ機器６からのＮＴＳＣ画像音声信号ｂを第１の無線部５２に入力させる第１のスイッチＳ１と、操作卓９からのモード指示信号ｄの内容に応じてパソコン側操作部３、４からの指示信号ｃまたは操作卓側操作部１０、１１からの指示信号ｃをパソコン本体１に入力させる第２のスイッチＳ２とを有することにより、操作卓９からのモード指示信号ｄに応じてパソコン本体１からのパソコン画像音声信号ａとＡＶ機器からのＮＴＳＣ画像音声信号ｂとのいずれかが選択されて無線で送信され、また、操作卓９からのモード指示信号ｄに応じてパソコン側操作部３、４からの指示信号ｃと操作卓側操作部１０、１１からの指示信号ｃとのいずれかが選択されるので、パソコン本体１やＡＶ機器６から出力される画像音声信号ａ、ｂをパソコンの配置場所（例えば書斎）とは異なる別の場所（例えば居間）で視聴することができると共に、パソコンの配置場所とは異なる別の場所からパソコンを操作することができる。
【００２３】
また、第１のスイッチＳ１は、操作卓９からのモード指示信号ｄがノーマルモードであるときはパソコン画像音声信号ａを第１の無線部５２に入力させ、操作卓９からのモード指示信号ｄがシアタモードであるときはＮＴＳＣ画像音声信号ｂを第１の無線部５２に入力させ、第２のスイッチＳ２は、操作卓９からのモード指示信号ｄがノーマルモードであるときは操作卓側操作部１０、１１からの指示信号ｃをパソコン本体１に入力させ、操作卓９からのモード指示信号ｄがシアタモードであるときはパソコン側操作部３、４からの指示信号ｃをパソコン本体１に入力させることにより、ノーマルモード時には、パソコン画像音声信号ａと操作卓側操作部１０、１１からの指示信号ｃとを選択することができ、シアタモード時には、ＮＴＳＣ画像音声信号ｂとパソコン側操作部３、４からの指示信号ｃとを選択することができるので、ノーマルモード時において容易にパソコンを遠隔操作できると共に、シアタモード時においてはパソコン側にてパソコンを操作することができる。
【００２４】
【発明の効果】
以上説明したように本発明の請求項１に記載の情報伝送システムによれば、パソコン本体と、テレビ受像機と、操作卓と、ＡＶ機器と、ＰＣトランシーバと、ＰＣトランシーバを介してパソコン本体に接続されたキーボード、マウス等のパソコン側操作部と、操作卓に接続されたキーボード、マウス等の操作卓側操作部とを有する情報伝送システムであって、ＰＣトランシーバは、入力画像音声信号をテレビ受像機へ無線で送信する第１の無線部と、操作卓からの指示信号を無線で受信する第２の無線部と、操作卓からのモード指示信号の内容に応じてパソコン本体からのパソコン画像音声信号またはＡＶ機器からのＮＴＳＣ画像音声信号を第１の無線部に入力させる第１のスイッチと、操作卓からのモード指示信号の内容に応じてパソコン側操作部からの指示信号または操作卓側操作部からの指示信号をパソコン本体に入力させる第２のスイッチとを備え、第１のスイッチは、操作卓からのモード指示信号がノーマルモードであるときはパソコン画像音声信号を第１の無線部に入力させ、操作卓からのモード指示信号がシアタモードであるときはＮＴＳＣ画像音声信号を第１の無線部に入力させ、第２のスイッチは、操作卓からのモード指示信号がノーマルモードであるときは操作卓側操作部からの指示信号をパソコン本体に入力させ、操作卓からのモード指示信号がシアタモードであるときはパソコン側操作部からの指示信号をパソコン本体に入力させることにより、操作卓からのモード指示信号に応じてパソコン本体からのパソコン画像音声信号とＡＶ機器からのＮＴＳＣ画像音声信号とのいずれかが選択されて無線で送信され、また、操作卓からのモード指示信号に応じてパソコン側操作部からの指示信号と操作卓側操作部からの指示信号とのいずれかが選択されるので、パソコン本体やＡＶ機器から出力される画像音声信号をパソコンの配置場所とは異なる別の場所で視聴することができると共に、パソコンの配置場所とは異なる別の場所からパソコンを操作することができるという有利な効果が得られる。
【００２５】
また、ノーマルモード時には、パソコン画像音声信号と操作卓側操作部からの指示信号とを選択することができ、シアタモード時には、ＮＴＳＣ画像音声信号とパソコン側操作部からの指示信号とを選択することができるので、ノーマルモード時において容易にパソコンを遠隔操作できると共に、シアタモード時においてはパソコン側にてパソコンを操作することができるという有利な効果が得られる。
【図面の簡単な説明】
【図１】本発明の実施の形態１による情報伝送システム全体を示す全体構成図
【図２】図１の情報伝送システムを構成するパソコン本体及びＰＣトランシーバ側装置を示す構成図
【図３】図１の情報伝送システムを構成するパソコン本体及びＰＣトランシーバ側装置を示す構成図
【符号の説明】
１  パソコン本体（ＰＣ本体）
２  モニタ
３、１０  キーボード
４、１１  マウス
５  ＰＣトランシーバ
５ａ  送信アンテナ
５ｂ  受信アンテナ
６  ＤＶＤプレーヤ（ＡＶ機器）
７  テレビ受像機
８  ＡＶレシーバ
８ａ  受信アンテナ
９  コントロールコンソール（操作卓）
９ａ  送信アンテナ
１２  モード切替えボタン
５１  マイコン
５２  第１の無線部
５３  第２の無線部
Ｓ１  第１のスイッチ
Ｓ２  第２のスイッチ
【図１】
0004427844.tif 000002
【図２】
0004427844.tif 000003
【図３】
0004427844.tif 000004